(57)【特許請求の範囲】
【請求項１】
クロック発振手段から出力されるクロック信号によって制御動作を同期させる制御手段と、受信信号を検出する信号検出手段を備え、送信状態と受信状態とを交互に切り換えて通信を行う無線通信機において、
上記信号検出手段が受信信号を検出したとき、上記クロック信号の周波数を所定時間間隔で切り換えるためにシフト手段を制御するシフト制御手段と、
上記シフト制御手段で制御されるシフト手段と
を備えた無線通信機。
【請求項２】
上記シフト制御手段が、信号検出手段よりの検出信号があるか否かを判別するとともに、タイマが作動しているか否かを判別する信号／タイマ判別部と、
上記所定時間間隔を規定するタイマとよりなる請求項１に記載の無線通信機。
【請求項３】
クロック発振手段から出力されるクロック信号によって制御動作を同期させる制御手段と、受信信号を検出する信号検出手段を備え、送信状態と受信状態とを交互に切り換えて通信を行う無線通信機において、
信号検出手段が信号検出をしていないときに初期状態を記憶する初期状態記憶手段と、
上記信号検出手段が受信信号を検出したとき、上記クロック信号の周波数を所定時間間隔で切り換えるためにシフト手段を制御するシフト制御手段と、
上記クロック信号の周波数に変更があった後に、シフト手段の状態が上記初期状態と同じである場合にシフト制御手段の作動を終了する状態判別手段と
上記シフト制御手段で制御されるシフト手段と
を備えた無線通信機。
【請求項４】
上記シフト制御手段が、信号検出手段よりの検出信号があるか否かを判別するとともに、タイマが作動しているか否かを判別する信号／タイマ判別部と、
上記所定時間間隔を規定するタイマとよりなる請求項３に記載の無線通信機。
【発明の詳細な説明】
【０００１】
【産業上の利用分野】
本発明は無線通信機に関し、特に、クロック信号に含まれる高調波の不要輻射による受信障害を低減する無線通信機に関するものである。
【０００２】
【従来技術】
無線通信機は、送信信号を変調してアンテナより発信し、あるいは受信信号を復調して得た音声信号をスピーカに入力する信号系統と、該信号系統を制御する制御系統を備えている。
【０００３】
近年上記制御系統はディジタル回路が使用され、該ディジタル回路は当然自身の制御動作の同期を確立するためにクロック発振手段を備えている。
このクロック発振手段より得られるクロック信号は種々の高調波の発生を伴い受信時に受信障害を起こすことがある。例えば、４ＭＨｚのクロック信号を使用しているときに、その１１６倍の周波数の４６４ＭＨｚの高調波が発生しているとすると、このとき、受信信号として上記高調波と同じ周波数の４６４ＭＨｚの信号が受信されたとき、該受信信号に上記高調波が混入されたことになる。
【０００４】
上記のように受信信号に上記高調波が混入されると受信信号が再生されて得られる受信音声がかき消されたり、受信音声にうなりの現象が発生することになる。そこで、受信周波数に応じてクロック信号を周波数変更して、その高調波が受信周波数に一致しないようにする技術が特開昭 62-272629号公報、に開示されている。
【０００５】
この公報記載の内容によると、ある特定の受信周波数に対して関連する制御データを記憶させておき、上記特定の周波数が受信されると、上記関連する制御データを用いてクロック信号の周波数をシフトするようにしている。
【０００６】
更に、特開平 06-338813号公報には、上記クロック信号を変調用信号を用いて変調し、受信復調信号に変調用信号が含まれているときにはクロック信号の周波数を変更する技術が記載されている。
【０００７】
【発明が解決しようとする課題】
上記特開昭62-272629 号公報の記載によると、上記制御データを予め収集して記憶させておく必要があり、手間がかかる上、温度の影響によりクロック周波数がずれると、上記シフトした結果の周波数が外部より入力する信号と干渉を起こすことになりかねない。
【０００８】
また、特開平 06-338813号公報に記載の内容によると、クロック信号を一旦変調するための変調用信号発振手段、クロック信号変調手段、変調用信号検出手段を必要とし、構造が複雑になるとともにコストデメリットが生じることになる。
【０００９】
また、クロックに変調を加えるため、他の回路等に影響を与える可能性があり、回路設計に制約が生じてしまうことになる。
本発明は上記従来の事情に鑑みて提案されたものであって、予備的なデータ入力の必要もなく、しかも構造が簡単でコストメリットの大きい不要輻射による受信障害を低減する無線通信機を提供することを目的とするものである。
【００１０】
【課題を解決するための手段】
上記目的を達成するために、本発明は以下の手段を採用している。すなわち、図１(a) に示すように、クロック発振手段３０から出力されるクロック信号によって制御動作を同期させる制御手段５０と、受信信号を検出する信号検出手段３５を備え、送信状態と受信状態とを交互に切り換えて通信を行う無線通信機において、上記信号検出手段３５が受信信号を検出したとき、上記クロック信号の周波数を所定時間間隔で切り換えるためにシフト手段３４を制御するシフト制御手段５１と、上記シフト制御手段５１で制御されるシフト手段３４とを備える構成とした。
【００１１】
上記、シフト制御手段５１は、信号検出手段３５よりの検出信号があるか否かを判別するとともに、タイマ５１ｂが作動しているか否かを判別する信号／タイマ判別部５１ａと、上記所定時間間隔を規定するタイマ５１ｂとよりなる構成とする。
【００１２】
更に、上記構成に加えて、図１(b) に示すように信号検出手段３５が信号検出をしていないときに初期状態を記憶する初期状態記憶手段６０と、上記クロック信号の周波数に変更があった後に、シフト手段３４の状態が上記初期状態と同じである場合にシフト制御手段５１の作動を終了する状態判別手段５４とを追加する構成とすることもできる。
【００１３】
【作用】
上記構成により、信号検出手段３５が特定周波数の受信信号を検出したとき、シフト制御手段５１によってシフト手段３４が制御され、クロック信号の周波数が変更される。このようにクロック信号の周波数が変更されると、上記受信信号がクロック信号の高調波であるときには、信号検出手段３５で受信信号が検出されなくなり、変更前に検出された受信信号がクロック信号の高調波によるものと判断され、クロック信号の周波数が変更後の周波数に設定される。これによって、上記特定の周波数で外部よりの受信信号があっても、この周波数でのクロック信号からの不要輻射の影響を無くすることができる（図６(a) 参照）。
【００１４】
一方、上記シフト手段３４によるクロック信号の周波数変更がなされたとしても、上記受信信号が外部より入力する信号であるときには、引き続き信号検出手段３５で受信信号が検出される。従って、上記タイマ５１ｂのタイムオーバ後には、再びシフト手段３４が制御され、もとのクロック周波数が設定されることになり、また、その後のタイムオーバ後には再度シフトされた周波数が設定されることが繰り返されることになる。
【００１５】
しかしながらこの場合であっても、かならず受信信号が無い状態（受信信号が外部よりの信号のみである場合には該外部よりの信号が途絶えたとき、外部よりの信号にクロック信号の高調波が混入するときには、外部よりの信号が途絶えるとともに、クロック信号の周波数の変更がなされて、該高調波が入力しなくなったとき）が形成され、クロック周波数はその高調波が受信に影響を与えない周波数に確実に設定される（図６(b) 参照）。
【００１６】
上記の構成では、上記受信信号が外部信号であるときには、受信信号が無い状態が形成されるまで、シフト手段３４がクロック信号の周波数を２つの状態に交互に設定することになり、制御が冗長になる。
【００１７】
そこで、初期状態記憶手段６０に受信信号のないときシフト手段３４の状態を初期状態として記憶する構成にする。この状態で受信信号が検出されると、上記のようにシフト手段３４を制御してクロック周波数を変更すると、この段階で状態判別手段５４が上記記憶内容と同じ状態であるか否かを判断する。当然初期状態とは異なる状態に変化しているので、タイマ５１ｂが起動して再び信号検出手段３５で受信状態を検出する。
【００１８】
このとき、受信がクロック信号の高調波であるときには、上記変更によって信号検出手段３５による検出はなくなるので、初期状態記憶手段６０に現在の状態を記憶して終了する（図６(a) 参照）。
【００１９】
一方、受信信号が外部よりの信号であるときには、上記周波数変更があっても信号検出手段３５による検出は依然継続するので、再度シフト手段３４が制御されて元の状態に戻ることになる。この状態は初期状態記憶手段６０が記憶している初期状態（受信信号がないときのシフト手段３４の状態）と同じであるので、シフト動作は終了することになる。これによって、クロック信号の不要輻射のない状態での受信が可能になる。
【００２０】
【実施例】
図２は本発明の１実施例ブロック図であり、図３は図２に示す実施例の動作手順を示す本発明のフロー図である。
【００２１】
アンテナ１０と高周波増幅手段１２、中間周波数変換手段１４、局部発振手段１６、中間周波増幅手段１７、復調手段１８、低周波増幅手段２０更に、スピーカ２２により受信系統が構成される。
【００２２】
この受信系統は制御手段５０によって各種の設定、記憶、例えば受信周波数帯域、受信周波数の設定が制御されるようになっており、この制御手段５０はクロック信号により同期がとられる集積回路よりなっている。従って、該制御手段５０はクロック発振手段３０を外装した構成となっている。
【００２３】
上記クロック発振手段３０には更に、コンデンサ３２の一端を介して周波数シフト手段３４が接続され、この周波数シフト手段３４はシフト制御手段５１によって上記コンデンサ３２の他端を開放したり接地したりするスイッチ機能を備えている。
【００２４】
一方、復調手段１８の出力は信号検出手段３５に入力されており、これによって受信信号があると、該信号検出手段３５で検出されるようになっている。更に、上記制御手段５０には信号／タイマ判別部５１ａとタイマ５１ｂとが組み込まれ以下に説明するように作動する。
【００２５】
上記構成において、周波数変更確認手段５５がダイアル等によって受信周波数の変更がなされたことを確認（図６に示すようにクロック周波数を4.00MHz とする）することによって、シフト制御手段５１が起動されて処理が開始される（図６(a),(b),(c) に示すように時刻ｔ0 ）。
【００２６】
ここでまず、シフト制御手段５１の信号／タイマ判別部５１ａが信号検出手段３５よりの受信信号を確認するとともに、タイマ５１ｂが作動していないことを確認すると、シフト手段３４を制御して、上記コンデンサ３２の他端を接地する。これによってクロック周波数は上記コンデンサ３２の容量に対応する所定範囲だけシフトされたことになる（図６に示すようにシフト結果のクロック周波数を4.01MHz とする）。この周波数のシフトと同時にタイマ５１ｂを起動しておき、所定時間（例えば500ms ）上記周波数がシフトされた状態を保持するようになっている（図３、ステップＳ１〜Ｓ４）。
【００２７】
受信信号がクロック信号の高調波であるとき、上記のようにクロック周波数がシフトされた状態が形成されると、図６(a) に示すように、当該受信周波数での受信信号はなくなるので動作は終了する（図３、ステップＳ２：Ｙ→Ｓ１：Ｎ→Ｓ５、図６(a) 時刻ｔ10）。これによって、上記クロック信号の高調波に基づく受信信号は、設定された受信周波数においては受信されなくなる。
【００２８】
受信信号が外部信号であるとき、図６(b) に示すように、一旦クロックの周波数がシフトされても信号検出手段３５の受信状態は継続することになる。従って、上記タイマ５１ｂが一旦タイムオーバした後（図３、ステップＳ１→Ｓ２：Ｎ）、再びクロック周波数をシフト（上記とは逆にコンデンサ３２の他端を開放）した状態にし、再び、タイマ５１ｂを起動する。従って、クロック信号の周波数は、時分割的に初期の状態とシフトされた状態とを交互に呈することになる。
【００２９】
上記において、受信信号が純粋に外部からのみである場合（クロック信号の高調波が混入していない場合）、受信信号が検出されなくなる時点ｔ1 図６(b) まで継続する。
【００３０】
受信信号が外部よりの信号とそれに混入したクロック信号の高調波よりなっているとき、上記のように、クロック信号の周波数が初期状態から変更されない状態にあるとき（例えば時点ｔ1 ）で、外部よりの信号が途切れたとしてもクロック信号の高調波が残るので、次のタイマ周期になっても受信が継続することになり、この周期内のとき（例えば、時点ｔ20）で、図６(a) に示した場合と同様にクロック信号の周波数がシフトされて終了する。これによって、クロック信号の高調波の影響を受けない状態が形成されたことになる。
【００３１】
上記の構成では上記のように、受信信号が外部から到来する信号であるときにはクロック信号の周波数が、初期状態とシフト状態とが交互に繰り返される状態が、受信信号（クロック信号の高調波あるいは外部よりの信号）がなくなるまで継続することになり、動作が冗長になる。
【００３２】
そこで、図４に示すように制御手段５０を構成し、図５に示すように動作させることが考えられる。すなわち、まず、信号検出手段３５が受信信号を検出しないときには、シフト手段３４の初期状態が記憶制御手段５３によって初期状態記憶手段６０に記憶されるようになっている（図５、ステップＳ１６）。
【００３３】
信号検出手段３５が受信信号を検出したときであって、タイマ５１ｂが作動していないとき、信号／タイマ判別部５１ａがシフト手段３４を制御し、クロック信号の周波数をシフトして（図５、ステップＳ１３）、タイマ５１ｂを起動する（図５、ステップＳ１５）。上記ステップＳ１３とＳ１５との間にシフト手段３４の状態を判別するステッップがあるが、このステップについては後に説明する。
【００３４】
これによって、受信信号がクロック信号の高調波であるときには、タイマ５１ｂの起動いかんにかかわらず、受信信号は検出されなくなる。このように、受信信号が検出されなくなると、シフト手段３４の現在の状態が記憶制御手段５３によって初期状態記憶手段６０に記憶され（図５、ステップＳ１６）、これによって次回（一旦受信を中止して、送信状態にし、次いで再び受信状態にしたとき）の受信時には最初から、クロック周波数がシフトされた状態となっている。
【００３５】
受信信号が外部よりの信号であるときには、図５、ステップＳ１３に示すクロック周波数のシフトが行われたとしても、信号検出手段３５によって受信信号が検出される状態は継続する。従って上記のように一旦タイマ５１ｂが設定された後、タイムオーバしたとしても、再び上記ステップＳ１３の段階でシフト制御手段５１が起動してクロック周波数のシフトが行われる（最初のクロック周波数に戻る）。
【００３６】
ここで、状態判別手段５４が作動してシフト手段３４の状態が初期状態記憶手段６０に記憶された状態であるか否かが判断される（図５、ステップＳ１４）。初期状態記憶手段６０には、受信信号のないときのシフト手段の状態が記憶されているので、シフト手段３４の状態が初期状態記憶手段６０に記憶された状態であるときは、外部からの信号によって信号検出手段３５が起動していることを意味しているのであるから、再びタイマーを起動することなく終了する（図６(c) 時刻ｔ30）。
【００３７】
なお、上記実施例におけるシフト制御手段５１の起動は、受信周波数の変更時のみに限定されず、送信状態から受信状態への切換時、または電源オン時等においても起動するようにしても構わない。また、上記実施例における信号検出手段３５は、復調手段１８の出力から受信信号を検出する構成に限定されず、例えば中間周波増幅手段１７の出力を入力してもよいし、又、復調後のノイズ成分から検出するようにしたり等の受信信号が検出できるものであればどのようなものでも構わない。
【００３８】
【発明の効果】
以上説明したように、本発明は受信信号が入力しているとクロック信号の周波数をシフトする簡単な構成でクロック信号の不要輻射による受信障害を低減できる効果がある。更に、不要輻射のない状態を初期状態として記憶しておくと、より高速で周波数シフトが可能となる。
【図面の簡単な説明】
【図１】本発明の原理図である。
【図２】本発明の一実施例ブロック図である。
【図３】図２のフロー図である。
【図４】本発明の他の一実施例ブロック図である。
【図５】図４のフロー図である。
【図６】本発明の動作を示すタイムチャートである。
【符号の説明】
３０  クロック発振手段
３４  シフト手段
３５  信号検出手段
５０  制御手段
５１  シフト制御手段
５１ａ  信号／タイマ判別手段
５１ｂ  タイマ
５４  状態判別手段
６０  初期状態記憶手段
【図１】
0003690841.tif 000002
【図２】
0003690841.tif 000003
【図３】
0003690841.tif 000004
【図４】
0003690841.tif 000005
【図５】
0003690841.tif 000006
【図６】
0003690841.tif 000007